(57)【要約】【課題】引張りを分散でき、ある程度の時間の使用を経てもマスクの完全性を保持できるマスクを提供する。【解決手段】二つの不織布シート１１の一側辺が相互に圧着されてなる本体１０を有し、圧着された部分に圧着バンド１２が形成され、圧着バンド１２の本体下縁に近隣する一端に屈折端１２１が形成され、屈折端は本体の下縁までに伸び、屈折端に近隣する箇所に圧着バンドに相互に接続するサブ圧着バンド１２２が別に設けられている。二つの不織布シートが引張りを受けると、該力が屈折端１２１に分散されるので、本体の完全性を保持できる。引張りが大きすぎると、二つの不織布シートの下縁に分離を発生するが、サブ圧着バンド１２２により二つの不織布シートが継続的に分離されるのを阻止でき、継続的に分離されることができなくなるので、本体の使用性を依然保有できる。【選択図】図２
0003119308.tif 000002
【実用新案登録請求の範囲】
【請求項１】
二つの不織布シートからなり、二つの不織布シートの対向する一側辺が相互に圧着されてなる本体を有し、
相互に圧着された部分に圧着バンドが形成され、
圧着バンドの本体下縁に近隣する一端に屈折端が形成され、屈折端は本体の下縁まで伸び、
前記屈折端に近隣する箇所に、圧着バンドに相互に接続されたサブ圧着バンドが別に設けられ、
前記二つの不織布シートの圧着部の上縁にＶ字形開口が形成され、
前記二つの不織布シートの他一側辺に長孔を有する耳掛け部がそれぞれ設けられることを特徴とするマスク。
【請求項２】
前記屈折端と圧着バンドの交接箇所に円弧形状辺部が形成されることを特徴とする請求項１に記載のマスク。
【請求項３】
前記屈折端と圧着バンドの交接箇所に鈍角が形成されることを特徴とする請求項１に記載のマスク。
【考案の詳細な説明】
【技術分野】
【０００１】
本考案は、引張りを分散でき、ある程度の時間の使用を経てもマスクの完全性を保持できるマスクに関する。
【背景技術】
【０００２】
空気中には、細塵や不純物や細菌及び塵埃などが満ちているので、人々はマスクをその口鼻部に着けることで、前記のようなものが人々の呼吸道に吸い込まれることを防止し、自身の健康を確保している。
【考案の開示】
【考案が解決しようとする課題】
【０００３】
従来のマスクは、図５に示されるように、本体２０を有し、該本体２０は、二つの不織布シート２１の一側辺が相互に圧着されてなるもので、二つの不織布シート２１の他一側辺には、長孔２２１を有する耳掛け部２２がそれぞれ固設されている。
【０００４】
マスクを着ける時は、二つの耳掛け部２２の長孔２２１を使用者の耳にそれぞれ通過させる。このように、耳掛け部２２は使用者の耳と互いに抵接することが出来る。マスクを着けると、使用者の口鼻部が本体２０で覆われ、使用者が呼吸する時に、不織布シート２１がフィルタ効果を発生して、空気中の細塵などをフィルタリングし、よって、使用者は、細塵などが体内に吸い込まれるのを避けることができる。
【０００５】
しかしながら、従来のマスクは、ある程度の時間装着すると、二つの耳掛け部２２から外へ引張りを受けているため、二つの不織布シート２１がその圧着される箇所の下縁で分離してしまい、強度上極めて弱くなり、二つの不織布シート２１が完全分離し、該マスクが使用できなくなっていた。
【０００６】
万が一、使用者のいる環境が、人体に危害を与える物質が吸い込まれるのを避けるためにマスクの保護を必要とするような環境の場合、二つの不織布シート２１が完全に分離してしまうと、使用者が人体に危害を与える物質を吸い込んでしまい、使用者にとって相当大きい危害となる。
【課題を解決するための手段】
【０００７】
本考案者は、従来のマスクが使用される時に、その圧着部が分離し易く、結合度が良くないことを鑑みて、引張りが分散できるマスクを改めて設計した。本考案の目的は、本体の圧着バンドの本体の下縁に対する箇所に屈折端を形成し、更に、屈折端に近隣する箇所に、サブ圧着バンドが別に設けられ、本体が引張られる時に、該引張りが屈折端により分散されることができ、引張りが大きすぎて、二つの不織布シートの下縁に分離がを発生したときにでも、サブ圧着バンドにより二つの不織布シートが継続的に分離されることを阻止でき、マスクの完全性を保持し、且つ継続的に使用できるマスクを提供することにある。
【０００８】
前記目的を達成するために、本考案のマスクは、二つの不織布シートの一側辺が相互に圧着されてなる本体を有し、相互に圧着された部分に圧着バンドが形成され、圧着バンドの本体下縁に近隣する一端に屈折端が形成されて本体の下縁まで伸び、前記屈折端に近隣する箇所に、圧着バンドに相互に接続するサブ圧着バンドが別に設けられる。
【０００９】
さらに、前記二つの不織布シートの圧着部の上縁に、Ｖ字形開口が形成され、前記二つの不織布シートの他一側辺に、長孔を有する耳掛け部がそれぞれ設けられる。
【００１０】
従って、前記二つの相互圧着された不織布シートの下縁が引張りを受けた時に、該引張り力が屈折端によって分散されるので、本体の完全性が保持できる。また、引張りが大きすぎると二つの不織布シートの下縁に分離が発生するが、サブ圧着バンドにより二つの不織布シートが継続的に分離されるのを阻止でき、継続的に分離されることができなくなるので、本体が使用性を依然保有できる。
【００１１】
そのため、使用者がマスクで覆われる必要がある環境にいる時でも、マスクが引張りに影響されることがなく、二つの不織布シートが分離を発生する可能性が低くなり、万が一分離が発生しても、サブ圧着バンドにより分離を阻止でき、よって、マスクが依然使用できる状況であり、使用者にとって、大きな保障であることは疑いの余地がない。
【考案を実施するための最良の形態】
【００１２】
図１及び図２を参照すると、本考案のマスクは、二つの不織布シート１１からなり二つの不織布シート１１の対向する一側辺が相互に圧着された本体１０を有する。圧着方式は、超音波或いは高周波等の熱融合方式であればよく、熱融解により二つの不織布シート１１が相互に圧着され、前記圧着部に圧着バンド１２が形成される。さらに、圧着バンド１２の本体１０下縁に近隣する一端に屈折端１２１が形成され、屈折端１２１は本体１０の下縁まで伸び、且つ本体１０に略突出している。図３は、本考案の第一実施例であり、図３を参照すると、屈折端１２１と圧着バンド１２の交接箇所に円弧形状辺部１２３が形成され、屈折端１２１に近隣する箇所に、圧着バンド１２に相互に接続されたサブ圧着バンド１２２が別に設けられ、該サブ圧着バンド１２２が本体１０に略突出している。
【００１３】
再び、図１及び図２を参照すると、前記二つの不織布シート１１の圧着部の上縁には、Ｖ字形開口１４が形成され、前記二つの不織布シート１１の他一側辺には、長孔１３１を有する耳掛け部１３がそれぞれ接続されている。
【００１４】
使用者がマスクを顔に着けたとき、本体１０は耳掛け部１３から引張りを受け、Ｖ字形開口１４が展開されて本体１０を顔によりスムーズに着き合わせる。ある程度の時間の使用を経ても、二つの不織布シート１１の圧着部下縁に作用する引張りが、屈折端１２１の円弧形状辺部１２３によって分散されるので、二つの不織布シート１１が分離を発生しない。万が一、引張りが大きすぎて、二つの不織布シート１１の圧着部下縁に分離現象を発生しサブ圧着バンド１２２の位置まで分離していっても、該サブ圧着バンド１２２が、二つの不織布シート１１の継続な分離を阻止し、その結果、本体１０の使用性を保持できる。
【００１５】
図４は、本考案の第二実施例である。図４を参照すると、本実施例では、屈折端１２１と圧着バンド１２の交接箇所に鈍角１２４が形成されている。該鈍角１２４の効果は前記円弧形状辺部１２３と同じであり、共に、本体１０が受けた引張りを分散し、二つの不織布シート１１が分離を発生するのを防止している。
【００１６】
以上のように、本考案は、屈折端１２１の円弧形状辺部１２３または鈍角１２４で、本体１０が受けた引張りを分散し、本体１０が分離を発生しても、サブ圧着バンド１２２が二つの不織布シート１１の継続な分離を阻止し、本体１０の使用性を保持できる。
【図面の簡単な説明】
【００１７】
【図１】本考案の使用状態の参考図である。
【図２】本考案の平面図である。
【図３】本考案の第一実施例の部分拡大平面図である。
【図４】本考案の第二実施例の部分拡大平面図である。
【図５】従来のマスクの使用状態の参考図である。
【符号の説明】
【００１８】
１０  本体
１１  不織布シート
１２  圧着バンド
１３  耳掛け部
１４  Ｖ字形開口
２０  本体
２１  不織布シート
２２  耳掛け部
１２１  屈折端
１２２  サブ圧着バンド
１２３  円弧形状辺部
１２４  鈍角
１３１  長孔
【図１】
0003119308.tif 000003
【図２】
0003119308.tif 000004
【図３】
0003119308.tif 000005
【図４】
0003119308.tif 000006
【図５】
0003119308.tif 000007